(57)【特許請求の範囲】
【請求項１】
外部電力供給源;
電力を生成または前記外部電力供給源から供給される電力を貯蔵し、前記生成または貯蔵された電力を放電する再生可能エネルギー源にして、前記再生可能エネルギー源は太陽光発電装置またはエネルギー貯蔵装置のうち少なくとも１つである再生可能エネルギー源;
前記外部電力供給源または前記再生可能エネルギー源から供給される電力を電子機器に分配する分電盤;
前記外部電力供給源または前記再生可能エネルギー源もしくは前記分電盤に接続されて電力量を情報として含む電力量データをそれぞれから取得する１つ以上の電力測定装置；
１つ以上の前記電力測定装置で取得された電力量データを収集し、前記収集された電力量データに基づいて前記再生可能エネルギー源の動作モードまたは負荷の電力を監視する監視サーバ;を含み、
前記再生可能エネルギー源が前記エネルギー貯蔵装置である場合に、前記エネルギー貯蔵装置に接続される前記負荷を含み、前記負荷は、前記エネルギー貯蔵装置から電力が供給され、
前記電力測定装置として前記分電盤に接続された第２電力測定装置が取得する、前記分電盤に供給される電力量を情報として含む第２電力量データと、前記エネルギー貯蔵装置に接続される第４電力測定装置が取得する、前記負荷で消費される電力量を情報として含む第４電力量データとに基づいて前記エネルギー貯蔵装置の動作モードを推定する、負荷電力監視システム。
【請求項２】
前記エネルギー貯蔵装置には、前記電力測定装置として、前記外部電力供給源から供給される電力量を情報として含む第３電力量データを取得する第３電力測定装置と、前記負荷で消費される電力量を情報として含む第４電力量データを取得する第４電力測定装置とが接続される請求項１に記載の負荷電力監視システム。
【請求項３】
前記監視サーバは、
前記電力測定装置として前記分電盤に接続された第２電力測定装置が取得する、前記分電盤に供給される電力量を情報として含む第２電力量データと、前記第４電力量データとからＮＩＬＭ（Ｎｏｎ−ｉｎｔｒｕｓｉｖｅ  Ｌｏａｄ  Ｍｏｎｉｔｏｒｉｎｇ）アルゴリズムに基づいて電力量消費パターンを取得する請求項２に記載の負荷電力監視システム。
【請求項４】
前記第２電力量データと前記第４電力量データの和が、前記電力測定装置として前記外部電力供給源に接続された第１電力測定装置が取得する、前記外部電力供給源が供給する電力量を情報として含む第１電力量データと同じであれば、前記エネルギー貯蔵装置はＡＣ  ＰＡＳＳモードと推定される請求項１に記載の負荷電力監視システム。
【請求項５】
前記第４電力量データの電力量が０であれば、前記エネルギー貯蔵装置は充電モードと推定される請求項１に記載の負荷電力監視システム。
【請求項６】
前記エネルギー貯蔵装置には、前記電力測定装置として、前記外部電力供給源から供給される電力量を情報として含む第３電力量データを取得する第３電力測定装置が接続され、前記第３電力量データが前記第４電力量データの大きさよりも小さい場合、前記エネルギー貯蔵装置は放電モードと推定される請求項１に記載の負荷電力監視システム。
【請求項７】
前記再生可能エネルギー源は、
前記外部電力供給源から供給する電力を貯蔵または転送し、接続された負荷に前記貯蔵または転送される電力を供給する第１再生可能エネルギー源;
電力を生成することができる発電装置で構成される第２再生可能エネルギー源を含み、
前記第１再生可能エネルギー源はエネルギー貯蔵装置であり、
前記第２再生可能エネルギー源は発電装置であることを特徴とする請求項１ないし請求項６のうちいずれか１項に記載の負荷電力監視システム。
【請求項８】
前記発電装置で発電される電力は、前記エネルギー貯蔵装置に供給される請求項７に記載の負荷電力監視システム。
【請求項９】
前記発電装置には、前記発電装置で発電された電力量を情報として含む第５電力量データを取得する第５電力測定装置が接続される請求項７に記載の負荷電力監視システム。
【請求項１０】
外部電力供給源から供給する電力量を情報として含む電力量データである第１電力量データ、電子機器に供給される電力量を情報として含む電力量データである第２電力量データ及び少なくとも１つの再生可能エネルギー源が供給する電力量を情報として含む電力量データのうち少なくとも２つの電力量データを収集する段階;
前記収集された電力量データを確認する段階;及び
前記収集された電力量データに基づいて収集されなかった電力量データを推定して確認する段階;を含み、
前記収集された電力量データ及び推定された電力量データに基づいて負荷の電力を監視すると共に前記再生可能エネルギー源の動作モードを推定する段階;を含む負荷電力監視方法。
【請求項１１】
前記第２電力量データは、
前記外部電力供給源から供給される電力量及び前記再生可能エネルギー源から分電盤を介して前記電子機器に供給される電力量並びに前記電子機器で消費される電力量を情報として含む電力量データを含み、
前記再生可能エネルギー源から前記分電盤を介して前記電子機器に供給される電力量及び前記電子機器で消費される電力量を情報として含む電力量データは、前記再生可能エネルギー源が発電または充電及び放電する電力量を情報として含む電力量データを含む請求項１０に記載の負荷電力監視方法。
【請求項１２】
前記分電盤を介して前記電子機器に供給される電力量を情報として含む電力量データ及び前記再生可能エネルギー源が発電または充電及び放電する電力量を情報として含む電力量データは、前記分電盤に接続される前記電子機器及び前記再生可能エネルギー源に接続される前記電子機器の電力消費パターン情報を含む請求項１１に記載の負荷電力監視方法。
【請求項１３】
外部電力供給源；
電力を発電する第１再生可能エネルギー源；
前記外部電力供給源または前記第１再生可能エネルギー源から電力が供給され、接続された負荷に前記電力を供給する第２再生可能エネルギー源;
前記外部電力供給源または前記第１再生可能エネルギー源から電力が供給され、前記電力を電子機器に分配する分電盤;
前記外部電力供給源または前記第１再生可能エネルギー源または前記第２再生可能エネルギー源並びに前記分電盤に接続されて電力量を情報として含む電力量データを取得する電力測定装置；
前記電力測定装置に含まれ、前記第２再生可能エネルギー源が供給する電力量を情報として含む第５電力量データを取得する第５電力測定装置;を含み、
前記電力測定装置は、
前記外部電力供給源又は前記再生可能エネルギー源又は前記分電盤の電力量データを収集し、前記収集された電力量データに基づいて収集されていない電力量のデータを推定して確認し、前記収集された電力量データと推定された電力量データに基づいて前記第１の再生可能エネルギー源と第２の再生可能エネルギー源の動作モードを推定する、電力測定システム。
【請求項１４】
前記第１再生可能エネルギー源には、前記電力測定装置として、前記第１再生可能エネルギー源に供給される電力量を情報として含む第３電力量データを取得する第３電力測定装置と、前記第１再生可能エネルギー源に供給される電力量を情報として含む第４電力量データとを取得する第４電力測定装置が接続される請求項１３に記載の電力測定システム。
【請求項１５】
前記第１再生可能エネルギー源は発電装置；
前記第２再生可能エネルギー源はエネルギー貯蔵装置であることを特徴とする請求項１３または請求項１４に記載の電力測定システム。
【発明の詳細な説明】
【技術分野】
【０００１】
本発明は、電力測定システム及びそれを用いた負荷電力監視システム及びその負荷電力監視方法に関するものである。
【背景技術】
【０００２】
デジタル技術及びネットワーク技術の発展とともに生活家電及び情報家電機器も技術の融合や複合化に応じてさまざまな機能を備えるように開発されている。また、各家庭やオフィスでは、これらのデジタル複合機器が広く普及している。しかし、機能の融合や複合化及びネットワーク機能のサポートにより、かかる情報家電機器などの電子機器は、ユーザーの要求による電力消費、及びユーザーの意図とは違って、そしてユーザーが認識していないうちに待機電力が消費されることになる。
【０００３】
しかし、ユーザーは自分のどのような機器がどの特定の期間中にどれだけの電力を消費するのか知ることができないため、電気エネルギーの節約の必要性を感じていない。
これらの問題を解決するために、電子機器別のエネルギー消費の監視機能に関連して、家庭や建物単位で消費される電力量の総量を取得する計器によって電子機器ごとに特定の期間を定めて電力消費量及び電力消費の状態を分析及び監視することができる技術がある。
【０００４】
図１は、従来の負荷電力監視システムの構成を示すブロック図である。
図１を参照すると、従来の負荷電力監視システムは、外部電力供給源１から各家庭３に供給される電力が、各家庭３に設けられる分電盤２を介してコンセントに接続された電子機器に供給され得る。特に分電盤２には、外部電力供給源１から供給される電力が家庭３内の電子機器でどのように使用されるか、電力の使用状態及び使用電力量を確認するための電力測定装置４が接続されている。
上記の電力測定装置４は、電子機器の電力使用量及び使用パターン情報を利用して遠隔地のサーバを通じて個々の監視を実行することができる。
【０００５】
このような従来の負荷を監視するためのシステム及び方法は、外部電力供給源１以外の発電源またはエネルギー源から付加的に供給する電力量の検知もしくは取得は不可能である。また、付加的に供給する電力量を取得するために高精度性を必要とする従来の測定装置を付加してシステムを設計する場合、過剰なシステム設計コスト及び不要な装置の構成によるシステムの大型化などの問題を引き起こす可能性がある。
【発明の概要】
【発明が解決しようとする課題】
【０００６】
本発明は、上記の問題点を解決するためのものであって、従来の外部電力供給源に加えて再生可能エネルギー源を付加して負荷にエネルギーを供給し、前記負荷に供給されるエネルギーの消費状態を監視することができる電力測定システム及びそれを用いた負荷電力監視システム及び負荷電力監視方法を提供する。
また、本発明は、負荷及び前記負荷に供給される電力供給装置の消費電力量及び状態を把握するために、最小限のコストで効果的なシステムを構成して負荷電力を監視することができるようにするための電力測定システム及びそれを用いた負荷電力監視システム及び負荷電力監視方法を提供する。
また、本発明は、負荷及び前記負荷に供給される電力供給装置の消費電力量及び状態を把握することができる高い信頼性及び高効率の電力測定システム及びそれを用いた負荷電力監視システム及び負荷電力監視方法を提供する。
【課題を解決するための手段】
【０００７】
上記のような目的を達成するための本発明に係る負荷電力監視システムは、外部電力供給源；電力を生成または前記外部電力供給源から供給される電力を貯蔵し、前記生成または貯蔵された電力を放電する再生可能エネルギー源；前記外部電力供給源または前記再生可能エネルギー源から供給される電力を電子機器に分配する分電盤；前記外部電力供給源または前記再生可能エネルギー源または前記分電盤に接続されて電力量を情報として含む電力量データをそれぞれ取得する１つ以上の電力測定装置；前記１つ以上の電力測定装置で取得された電力量データを収集し、前記収集された電力量データに基づいて前記再生可能エネルギー源の動作モードまたは負荷の電力を監視する監視サーバ；を含む。
【０００８】
また、本発明に係る負荷電力監視方法は、外部電力供給源から供給する電力量を情報として含む電力量データである第１電力量データ、電子機器に供給される電力量を情報として含む電力量データである第２電力量データ及び少なくとも１つの再生可能エネルギー源が供給する電力量を情報として含む電力量データのうち少なくとも２つの電力量データを収集する段階；前記収集された電力量データを確認する段階；及び前記収集された電力量データに基づいて収集されなかった電力量データを推定して確認する段階；を含み、前記収集された電力量データ及び前記推定された電力量データに基づいて前記再生可能エネルギー源の動作モードを推定する段階；を含む。
【０００９】
また、本発明に係る負荷電力監視方法は、外部電力源から供給する電力量を情報として含む電力量データである第１電力量データ、電子機器に供給される電力量を情報として含む電力量データである第２電力量データ、少なくとも１つの再生可能エネルギー源から供給される電力量を情報として含む電力量データを収集する段階；前記収集された電力量データを確認する段階；前記収集された電力量データに基づいて前記電子機器の電力消費量及び電力消費パターンを分析する段階；を含む。
【００１０】
また、本発明に係る電力測定システムは、外部電力供給源；電力を発電する第２再生可能エネルギー源；前記外部電力供給源または前記第２再生可能エネルギー源から電力が供給され、接続された負荷に前記電力を供給する第１再生可能エネルギー源；前記外部電力供給源または前記第２再生可能エネルギー源から電力が供給され、前記電力を電子機器に分配する分電盤；前記外部電力供給源または前記第１または第２再生可能エネルギー源または前記分電盤に接続されて電力量を情報として含む電力量データを取得する電力測定装置；前記電力測定装置に含まれ、前記第２再生可能エネルギー源が供給する電力量を情報として含む第５電力量データを取得する第５電力測定装置；を含む。
【発明の効果】
【００１１】
上記のように、本発明に係る電力測定装置及びそれを用いた負荷電力監視システム及びその動作方法は、最小限のコストで高い信頼性及び高性能のシステムを構成し、それによる負荷電力量を効率的に実行できるようにする効果を有する。
【図面の簡単な説明】
【００１２】
【図１】従来の負荷電力監視システムの構成を示すブロック図
【図２】本実施形態に係る負荷電力監視システムの構成を示すブロック図
【図３】第１動作例に係るＡＣ  ＰＡＳＳモードで動作すると推定する場合の動作フローチャート
【図４】第２動作例に係るＡＣ  ＰＡＳＳモードで動作すると推定する場合の動作フローチャート
【図５】第１動作例に係る充電モードで動作する場合の動作フローチャート
【図６】第２動作例に係る充電モードで動作する場合の動作フローチャート
【図７】第１動作例に係る放電モードで動作する場合の動作フローチャート
【図８】第２動作例に係る放電モードで動作する場合の動作フローチャー
【図９】第１動作例に係る動作モードの推定に応じた電力量データを推定する場合の動作フローチャート
【図１０】第２動作例に係る動作モードの推定に応じた電力量データを推定する場合の動作フローチャート
【図１１】別の実施形態に係る負荷電力監視システムの構成を示すブロック図である。
【図１２】第３動作例に係るＡＣ  ＰＡＳＳモードで動作する場合の動作フローチャート
【図１３】第４動作例に係るＡＣ  ＰＡＳＳモードで動作する場合の動作フローチャート
【図１４】第５動作例に係るＡＣ  ＰＡＳＳモードで動作する場合の動作フローチャート
【図１５】第３動作例に係る充電モードまたは放電モードで動作すると推定される場合の動作フローチャート
【図１６】第４動作例に係る充電モードで動作する場合の動作フローチャート
【図１７】第５動作例に係る充電モードで動作する場合の動作フローチャート
【図１８】第４動作例に係る放電モードで動作する場合の動作フローチャート
【図１９】第５動作例に係る放電モードで動作する場合の動作フローチャート
【図２０】第３動作例に係る動作モードの推定に応じた電力量データを推定する場合の動作フローチャート
【図２１】第４動作例に係る動作モードの推定に応じた電力量データを推定する場合の動作フローチャート
【図２２】第５動作例に係る動作モードの推定に応じた電力量データを推定する場合の動作フローチャート
【図２３】本実施形態に係る監視サーバの構成を示すブロック図である。
【図２４】本実施形態に係る負荷電力監視結果の出力動作のフローチャートである。
【図２５】本実施形態に係る負荷電力監視結果の出力を例示する図である。
【発明を実施するための形態】
【００１３】
以下では、添付の図面を参照して、本発明の好ましい実施形態に係る電力測定システム及びそれを用いた負荷電力監視システム及び負荷電力監視方法について詳細に説明する。
【００１４】
図２は、本実施形態に係る負荷電力監視システムの構成を示すブロック図である。本実施形態では、エネルギーとして電力を供給する場合を説明する。
図２を参照すると、本実施形態に係る負荷電力監視システムは、監視サーバ１０、外部電力供給源１１０、分電盤１２０、電力を消費する負荷である電子機器１３０，１５０、及びエネルギー貯蔵装置１４０を含む。特に、外部電力供給源１１０、分電盤１２０及びエネルギー貯蔵装置１４０には、上記の装置に流入（供給）され、もしくは上記の装置から出力（供給）される電力や電力量データを取得するための第１電力測定装置１７１，第２電力測定装置１７２，第３電力測定装置１７３，第４電力測定装置１７４を接続することができる（以下、これらを総称するときは電力測定装置１７１，１７２，１７３，１７４のように記載する）。しかし、これに限らず、実施形態によって複数の電力測定装置１７１，１７２，１７３，１７４の一部のみを接続することができる。
なお、以下の記載において外部電力供給源１１０、分電盤１２０及びエネルギー貯蔵装置１４０の一端ないし他端との記載は相対的な記載であり、電力の供給を受ける入力端を一端とする場合は、電力を供給する出力端は他端と表現される。また、電力を供給する出力端を一端とする場合は、電力の供給を受ける入力端は他端と記載される。
【００１５】
本実施形態では、再生可能エネルギー源としてエネルギー貯蔵装置１４０に限定して説明するが、充電し、発電し、充電ないし発電した電力を一端（出力端）に放電して供給することのできる再生可能エネルギー源はすべて適用することができる。
【００１６】
監視サーバ１０は、電力測定装置１７１，１７２，１７３，１７４から取得された負荷及び電力源の電力消費量、流入（供給）量または電力消費パターンを含む電力量データを取得することができる。この取得されたデータを基にして負荷の電力を監視及び出力することができる。
【００１７】
図２３は、本実施形態に係る監視サーバ１０の構成を示すブロックである。
図２３を参照すると、本実施形態に係る監視サーバ１０は、通信部１１、制御部１２、記憶部１３及び出力部１４を含んで構成することができる。
通信部１１は、電力測定装置１７１，１７２，１７３，１７４，１７５または外部装置の間を無線または有線通信が可能なようにするための１つ以上のモジュールを含むことができる。
【００１８】
通信部１１は、ＷＬＡＮ（Ｗｉｒｅｌｅｓｓ  ＬＡＮ）（Ｗｉ−Ｆｉ）（登録商標）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ））（登録商標）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）が利用される無線インターネットモジュール、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）の形態で構成することができる。また、通信部１１は、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅ（登録商標）が利用される近距離通信モジュール、有線通信モジュールなど、様々な形態で構成することができる。通信部１１は、電力測定装置１７１，１７２，１７３，１７４，１７５から電力量データを受信して収集することができる。
【００１９】
制御部１２は、通信部１１を介して受信（収集）される電力測定装置１７１，１７２，１７３，１７４，１７５の電力量データを確認し、分析することができる。制御部１２は、受信（収集）される電力測定装置１７１，１７２，１７３，１７４，１７５の電力量データに基づいて電力量または電力使用パターンのデータを抽出及び処理することができる。一例として、電力使用パターンを分析するためには、ＮＩＬＭ（Ｎｏｎ−ｉｎｔｒｕｓｉｖｅ  Ｌｏａｄ  Ｍｏｎｉｔｏｒｉｎｇ）アルゴリズムによって実行することができる。また、制御部１２は、電力量データ及び該電力測定装置に関する情報を記憶部１３に記憶したり、出力部１４に出力したりするように制御することができる。
【００２０】
記憶部１３は、通信部１１を介して受信（収集）される電力量データを記憶することができる。記憶部１３は、制御部１２で実行される電力使用パターンの分析のためのアルゴリズムを記憶することができる。記憶部１３の例としては、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも１つのタイプの記憶媒体を含むことができる。
【００２１】
出力部１４は、制御部１２の制御に基づいて１つ以上の電力測定装置から受信（収集）されて処理された電力量データ及び分析データを映像または音声などの様々な形で出力することができる。出力部１４の例としては、ディスプレイ部、音声出力部などが含まれる。
【００２２】
他にも、ユーザー入力部（図示せず）を構成することができ、当該ユーザー入力部の入力に基づいて監視サーバ１０を制御したり、監視された負荷の電力量データを出力したりすることができる。
【００２３】
上記のように監視サーバ１０で処理される電力量データを取得するための構成としては、外部電力供給源１１０、分電盤１２０、電子機器１３０，１５０及びエネルギー貯蔵装置１４０を含むことができる（図２参照）。
【００２４】
外部電力供給源１１０は、発電所などの外部発電源であって、外部電力供給源１１０から供給される電力は、分電盤１２０を介して宅内の電子機器１３０を含む様々な負荷に供給することができる。特に、外部電力供給源１１０は、再生可能エネルギー源がエネルギー貯蔵装置１４０で構成される場合、エネルギー貯蔵装置１４０に電力を供給して電力を充電するようにすることができる。
【００２５】
分電盤１２０は、外部電力供給源１１０から供給される電力を宅内の電子機器１３０のような様々な負荷に供給されるように分配することができる。
【００２６】
エネルギー貯蔵装置１４０（ＥＥＳ：Ｅｌｅｃｔｒｉｃ  Ｅｎｅｒｇｙ  Ｓｔｏｒａｇｅ）は、外部電力供給源１１０から供給される電力を貯蔵し、貯蔵された電力を一定時点（またはユーザーの要求時点）にエネルギー貯蔵装置１４０の一端（出力端）に接続される電子機器１５０に供給されるようにすることができる。
【００２７】
例えば、深夜の時間のように、電力消費が少ないか電力使用料金が安価な時間帯にエネルギー貯蔵装置１４０に電力を貯蔵する。次に、電力需要量が急増したり、電力使用料金が高い時間帯に貯蔵された電力を一端（出力端）に接続される電子機器１５０に放電したりすることができる。
【００２８】
また、エネルギー貯蔵装置１４０は、外部電力供給源１１０から流入（供給）された電力を貯蔵せずに、直接、一端（出力端）に接続される電子機器１５０に供給することができる。このような場合、エネルギー貯蔵装置１４０はＡＣ  ＰＡＳＳモードで動作することができる。
【００２９】
エネルギー貯蔵装置１４０としては、たとえばリチウムイオン電池などの二次電池、コンデンサや、キャパシタなどの、電力を充電して貯蔵することで蓄電し、蓄電として貯蔵した電力を放電することのできる蓄電装置、及びこれら蓄電装置の充放電を制御する受放電制御部を備えた蓄電システムが例示される。
【００３０】
また、ＡＣ  ＰＡＳＳモードとは、外部電力供給源１１０からエネルギー貯蔵装置１４０に流入（供給）した電力を、エネルギー貯蔵装置１４０を単に通過させて、電子機器１５０にそのまま転送する態様を言う。具体的には、外部電力供給源１１０から一端（入力端）に流入（供給）された電力を貯蔵せずに、直接、そのままエネルギー貯蔵装置１４０の他端（出力端）に接続される電子機器１５０に供給するエネルギー貯蔵装置１４０の動作モードのことを言う。
たとえば、外部電力供給源１１０からエネルギー貯蔵装置１４０に流入（供給）した電力を、エネルギー貯蔵装置１４０の蓄電装置や、受放電制御部を介さず、電気的に電子機器１５０に転送して直接供給するような態様を含む。
【００３１】
外部電力供給源１１０、分電盤１２０の入力端及びエネルギー貯蔵装置１４０の両端には、それぞれ電力測定装置１７１，１７２，１７３，１７４を接続することができる。
【００３２】
外部電力供給源１１０の出力端に接続される第１電力測定装置１７１は、外部電力供給源１１０から供給される電力量を取得することができる少なくとも１つのモジュールで構成され得る。
【００３３】
分電盤１２０の入力端に接続される第２電力測定装置１７２は、外部電力供給源１１０から供給される電力を宅内の電子機器１３０のような様々な負荷に供給する場合に負荷で使用される電力量を取得することができる少なくとも１つのモジュールで構成され得る。特に第２電力測定装置１７２は、負荷の消費電力量の取得（測定）に加えて、負荷の電力量使用パターンを取得することができる。つまり、第２電力測定装置１７２は、負荷が消費する電力量に加えて負荷の動作状態情報及び電力消費パターン情報を含む電力量データを取得することができる。
【００３４】
エネルギー貯蔵装置１４０の入力端（一端）及び出力端（他端）には第３電力測定装置１７３及び第４電力測定装置１７４がそれぞれ接続され得る。第３電力測定装置１７３は、外部電力供給源１１０から供給される電力量を取得することができる少なくとも１つのモジュールで構成され得る。第４電力測定装置１７４は、エネルギー貯蔵装置１４０に貯蔵された電力を一端（出力端）に接続された電子機器１５０のような負荷に放電する場合、放電される電力量及び放電電力量の使用パターンを取得することができる。また、第４電力測定装置１７４は、外部電力供給源１１０から供給される電力がエネルギー貯蔵装置１４０を介して通過（ＰＡＳＳ）される場合、電子機器１５０の電力量及び電力量使用パターンを取得することができる。
【００３５】
上記のような電力測定装置１７１，１７２，１７３，１７４を含む負荷電力監視システムの構成に基づき、図３〜図１０を参照して第１動作例と、第２動作例とに係る負荷電力監視方法について詳細に説明する。
以下の監視方法は、データが収集される順序を限定して説明したが、これはデータ収集の順序とは無関係に、各１つ以上の電力測定装置からデータを収集することができる。
【００３６】
図３〜図１０は、これら実施形態に係る負荷電力監視システムが適用される負荷電力監視動作のフローチャートである。
【００３７】
図３は、監視サーバ１０でエネルギー貯蔵装置１４０がＡＣ  ＰＡＳＳモードで動作する場合の負荷電力監視動作を実行する第１動作例に係る動作フローチャートである。
図３を参照すると、監視サーバ１０は、通信部１１を介して電力測定装置１７１、１７２、１７３、１７４から電力量データを収集することができる（Ｓ３１０）。
【００３８】
監視サーバ１０の制御部１２は、通信部１１を介して収集された第１電力測定装置１７１の電力量データ（第１電力量データ）を確認することができる（Ｓ３２０）。詳述すると、制御部１２は外部電力供給源１１０から供給された電力量を情報として含む第１電力量データを確認することができる。
【００３９】
監視サーバ１０の制御部１２は、第１電力測定装置１７１の電力量データ（第１電力量データ）を確認すると、第２電力測定装置１７２から受信（収集）された第２電力量データを確認することができる（Ｓ３３０）。詳述すると、制御部１２は、分電盤１２０を介して電力が供給される電子機器１３０で使用される電力消費量及び電力消費パターンに関する情報を含む第２電力量データを確認することができる。この時、電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。ＮＩＬＭアルゴリズムは、分電盤１２０に接続される電力測定装置から分電盤１２０に接続される電子機器を各々が使用する電力量及び電力消費パターンを分析することができる。
【００４０】
監視サーバ１０の制御部１２は、第２電力測定装置１７２の電力量データ（第２電力量データ）を確認すると、第４電力測定装置１７４の電力量データ（第４電力量データ）を確認することができる（Ｓ３４０）。制御部１２は、エネルギー貯蔵装置１４０の一端（出力端）に接続された電子機器１５０で消費された電力量消費パターンに関する情報を含む電力量データを確認することができる。
【００４１】
また、第２電力測定装置１７２の電力量データ（第２電力量データ）と第４電力測定装置１７４の電力量データ（第４電力量データ）との和によって負荷電力監視システム内に接続される電子機器１３０，１５０で消費される電力量及び電力消費パターンに関する情報を含む電力量データを取得することができる。
【００４２】
監視サーバ１０の制御部１２は、第１電力測定装置１７１、第２電力測定装置１７２及び第４電力測定装置１７４の電力量データ（第１、第２、第４電力量データ）が確認されると、第２電力測定装置１７２の電力量データ（第２電力量データ）と第４電力測定装置１７４の電力量データ（第４電力量データ）との和と、第１電力測定装置１７１の電力量データ（第１電力量データ）を比較してエネルギー貯蔵装置１４０の動作モードを推定することができる（Ｓ３５０）。すなわち、第２電力量データと第４電力量データとの和と、第１電力量データが同じである場合、エネルギー貯蔵装置１４０は外部電力供給源１１０から供給される電力をエネルギー貯蔵装置１４０の一端（出力端）に接続された負荷に供給するＡＣ  ＰＡＳＳモードで動作すると推定することができる。
【００４３】
監視サーバ１０の制御部１２は、上記の動作によって確認された電力量データと、エネルギー貯蔵装置１４０の動作モードに関する情報を記憶部１３に記憶することができる（Ｓ３６０）。
【００４４】
図４は、監視サーバ１０でエネルギー貯蔵装置１４０がＡＣ  ＰＡＳＳモードで動作する場合の負荷電力監視動作を実行する第２動作例に係る動作フローチャートである。
図４を参照すると、監視サーバ１０は、通信部１１を介して電力測定装置１７１、１７２、１７３、１７４から電力量データを収集することができる（Ｓ４１０）。
【００４５】
監視サーバ１０の制御部１２は、収集された電力量データのうち、分電盤１２０の入力端に接続される第２電力測定装置１７２及びエネルギー貯蔵装置１４０の入力端に接続される第３電力測定装置１７３からそれぞれ取得された電力量データに基づいて外部電力供給源１１０から供給される電力量（第１電力量データ）、すなわち、第１電力測定装置１７１で取得される電力量データを推定することができる（Ｓ４２０）。
【００４６】
監視サーバ１０の制御部１２は、第１電力測定装置１７１の電力量データ（第１電力量データ）が推定されると、第４電力測定装置１７４から受信（収集）された第４電力量データを確認することができる（Ｓ４３０）。この時、制御部１２は、既に確認された第２電力測定装置１７２の電力量データ（第２電力量データ）と第４電力測定装置１７４の電力量データ（第４電力量データ）との和によって監視システムに接続される負荷の総電力消費量及び消費パターンを確認することができる。第２電力量データと第４電力量データは各電子機器１３０，１５０が消費する電力量及び電力消費パターンに関する情報を含む電力量データを含むことができる。第２電力量データと第４電力量データの電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【００４７】
監視サーバ１０の制御部１２は、第４電力測定装置１７４の電力量データ（第４電力量データ）が確認されると、第２電力測定装置１７２、第３電力測定装置１７３及び第４電力測定装置１７４の電力量データ（第４電力量データ）に応じたエネルギー貯蔵装置１４０の動作モードを推定することができる（Ｓ４４０）。詳述すると、第２電力測定装置１７２の電力量データ（第２電力量データ）及び第３電力測定装置１７３の電力量データ（第３電力量データ）の和と、第２電力測定装置１７２の電力量データ（第２電力量データ）及び第４電力測定装置１７４の電力量データ（第４電力量データ）の和とが同じである場合、エネルギー貯蔵装置１４０の動作モードは、外部電力供給源１１０から供給される電力を一端（出力端）に接続された負荷に供給するＡＣ  ＰＡＳＳモードで動作すると推定することができる。
【００４８】
監視サーバ１０の制御部１２は、上記の動作によって確認された電力量データとエネルギー貯蔵装置１４０の動作モードに関する情報を記憶部１３に記憶することができる（Ｓ４５０）。
【００４９】
図５は、監視サーバ１０でエネルギー貯蔵装置１４０が充電モードで動作する場合、負荷電力監視動作を実行する第１動作例に係る動作フローチャートである。
図５を参照すると、監視サーバ１０は、通信部１１を介して１つ以上の電力測定装置１７１、１７２、１７３、１７４から電力量データを収集することができる（Ｓ５１０）。
【００５０】
制御部１２は、通信部１１を介して第１電力測定装置１７１の電力量データ（第１電力量データ）を確認することができる（Ｓ５２０）。制御部１２は、外部電力供給源１１０から供給された電力量を情報として含む第１電力量データを確認することができる。
【００５１】
監視サーバ１０の制御部１２は、第１電力測定装置１７１の電力量データ（第１電力量データ）を確認すると、第２電力測定装置１７２から受信（収集）された第２電力量データを確認することができる（Ｓ５３０）。制御部１２は、分電盤１２０を介して電力が供給される電子機器１３０に電力消費パターン及び電力消費量に関する情報を含む第２電力量データを確認することができる。この時、電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【００５２】
監視サーバ１０の制御部１２は、第２電力測定装置１７２の電力量データ（第２電力量データ）を確認すると、第４電力測定装置１７４の電力量データ（第４電力量データ）を確認することができる（Ｓ５４０）。制御部１２は、第４電力測定装置１７４の電力量データ（第４電力量データ）に基づいてエネルギー貯蔵装置１４０の動作モードを推定することができる（Ｓ５５０）。詳述すると、制御部１２は、第４電力測定装置１７４の電力量データ（第４電力量データ）に基づいて第４電力測定装置１７４の電力量データ（第４電力量データ）が０である場合、つまり、エネルギー貯蔵装置１４０の一端に接続された電子機器１５０に電力を供給しない場合、エネルギー貯蔵装置１４０を充電モードと推定することができる。
【００５３】
制御部１２は、エネルギー貯蔵装置１４０が充電モードであると推定されると、第１電力測定装置１７１の電力量データ（第１電力量データ）と第２電力測定装置１７２の電力量データ（第２電力量データ）との差によってエネルギー貯蔵装置１４０の充電量を推定することができる（Ｓ５６０）。
【００５４】
図６は、監視サーバ１０でエネルギー貯蔵装置１４０が充電モードで動作する場合、負荷電力監視動作を実行する第２動作例に係る動作フローチャートである。
図６を参照すると、監視サーバ１０は、通信部１１を介して１つ以上の電力測定装置１７１、１７２、１７３、１７４から電力量データを収集することができる（Ｓ６１０）。
【００５５】
制御部１２は、収集された電力量データのうち、第２電力測定装置１７２から受信（収集）された第２電力量データを確認することができる（Ｓ６２０）。制御部１２は、分電盤１２０を介して電力が供給される電子機器１３０に電力消費パターン及び電力消費量に関する情報を含む第２電力量データを確認することができる。この時、電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【００５６】
制御部１２は、第２電力測定装置１７２の電力量データ（第２電力量データ）を確認すると、第３電力測定装置１７３の電力量データ（第３電力量データ）を確認することができる（Ｓ６３０）。第３電力測定装置１７３の電力量データ（第３電力量データ）は、外部電力供給源１１０からエネルギー貯蔵装置１４０に供給される電力量と、電力量に関する情報とを含む電力量データであり得る。
【００５７】
制御部１２は、第２電力測定装置１７２の電力量データ（第２電力量データ）と第３電力測定装置１７３の電力量データ（第３電力量データ）との和によって第１電力測定装置１７１の電力量データ（第１電力量データ）を推定することができる（Ｓ６４０）。詳述すると、制御部１２は、分電盤１２０に供給される電力量データとエネルギー貯蔵装置１４０に供給される電力量データとの和によって外部電力供給源１１０から供給される電力量に関する情報を含む電力量データを推定することができる。
【００５８】
制御部１２は、第１電力測定装置１７１の電力量データ（第１電力量データ）が推定されると、第４電力測定装置１７４の電力量データ（第４電力量データ）に基づいてエネルギー貯蔵装置１４０の動作モードを推定することができる（Ｓ６５０）。詳述すると、制御部１２は、第４電力測定装置１７４で取得される電力量データが０である場合、つまり、エネルギー貯蔵装置１４０の一端（出力端）に接続された電子機器１５０に電力を供給しない場合、エネルギー貯蔵装置１４０を充電モードと推定することができる。このとき、制御部１２は、第３電力測定装置１７３の電力量データ（第３電力量データ）に基づいてエネルギー貯蔵装置１４０の充電量（推定される再生可能エネルギー源の動作モードに応じた電力量データ）を推定することができる。
監視サーバ１０の制御部１２は、上記の動作によって確認された電力量データと、エネルギー貯蔵装置１４０の動作モードに関する情報及び充電量を記憶部１３に記憶することができる（Ｓ６６０）。
【００５９】
図７は、監視サーバ１０でエネルギー貯蔵装置１４０が放電モード（発電源）で動作する場合、負荷電力監視動作を実行する第１動作例に係る動作フローチャートである。
図７を参照すると、監視サーバ１０は、通信部１１を介して１つ以上の電力測定装置１７１、１７２、１７３、１７４から電力量データを収集することができる（Ｓ７１０）。
【００６０】
監視サーバ１０の制御部１２は、通信部１１を介して収集された第１電力測定装置１７１の電力量データ（第１電力量データ）を確認することができる（Ｓ７２０）。制御部１２は、外部電力供給源１１０から供給された電力量を情報として含む第１電力量データを確認することができる。
監視サーバ１０の制御部１２は、第１電力測定装置１７１の電力量データ（第１電力量データ）を確認すると、第２電力測定装置１７２から受信（収集）された電力量データを確認することができる（Ｓ７３０）。制御部１２は、分電盤１２０を介して電力が供給される電子機器１３０に電力消費パターン及び電力消費量に関する情報を含む第２電力量データを確認することができる。この時、電力消費パターンに関する情報はＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【００６１】
監視サーバ１０の制御部１２は、第２電力測定装置１７２の電力量データ（第２電力量データ）を確認すると、第４電力測定装置１７４から受信（収集）された第４電力量データを確認することができる（Ｓ７４０）。制御部１２は、エネルギー貯蔵装置１４０の一端に接続された電子機器１５０で消費された電力量及び電力消費パターンに関する情報を含む電力量データを確認することができる。
【００６２】
また、第２電力測定装置１７２の電力量データ（第２電力量データ）と第４電力測定装置１７４の電力量データ（第４電力量データ）との和によって負荷電力監視システム内に接続される負荷で消費される電力量及び電力消費パターンに関する情報を含む電力量データ取得することができる。
【００６３】
監視サーバ１０の制御部１２は、第１電力測定装置１７１、第２電力測定装置１７２及び第４電力測定装置１７４の電力量データ（第４電力量データ）が確認されると、当該電力量データに基づいてエネルギー貯蔵装置１４０の動作モードを推定することができる（Ｓ７５０）。すなわち、制御部１２は、第１電力測定装置１７１の電力量データ（第１電力量データ）と第２電力測定装置１７２の電力量データ（第２電力量データ）とが同一であり、第４電力測定装置１７４の電力量データ（第４電力量データ）が０を超えると、エネルギー貯蔵装置１４０の動作モードは放電モードであると推定することができる。
【００６４】
したがって制御部１２は、第１電力量データ、第２電力量データ及び第４電力量データに基づいて推定されたエネルギー貯蔵装置１４０の動作モードが放電モードであるかを判断する（Ｓ７６０）。次に、エネルギー貯蔵装置１４０が放電モードであると推定されると（Ｓ７６０のＹＥＳ）、第４電力測定装置１７４の電力量データ（第４電力量データ）をエネルギー貯蔵装置１４０の放電量（推定される再生可能エネルギー源の動作モードに応じた電力量データ）と推定することができる（Ｓ７７０）。推定された放電量データは記憶部１３に記憶することができる。
【００６５】
一方、制御部１２は、エネルギー貯蔵装置１４０が放電モードでない場合（Ｓ７６０のＮＯ）、推定された動作モードに応じた情報及び取得された電力量データを記憶部１３に記憶することができる（Ｓ７８０）。詳述すると、制御部１２は、エネルギー貯蔵装置１４０の推定された動作モードが放電モードでない場合、エネルギー貯蔵装置１４０の動作モードを第１電力量データ、第２電力量データ及び第４電力量データに基づいて再度推定することができる。つまり、第２電力量データと第４電力量データとの和が第１電力量データと同じであれば、エネルギー貯蔵装置１４０はＡＣ  ＰＡＳＳモードであると推定することができる。または第４電力量データが０である場合、エネルギー貯蔵装置１４０は充電モードであると推定することができる。したがって制御部１２は、上記のようにエネルギー貯蔵装置１４０の動作モードを第１電力量データ、第２電力量データ及び第４電力量データに基づいて推定し、推定された動作モード及び充電量情報などを含む電力量データを記憶部１３に記憶することができる。エネルギー貯蔵装置１４０の充電モード及びＡＣ  ＰＡＳＳモードの推定及び電力量の推定に関する詳細な説明は、図３と図５にて既に説明したので省略する。
【００６６】
図８は、監視サーバ１０でエネルギー貯蔵装置１４０が放電モード（発電源）で動作する場合、負荷電力監視動作を実行する第２動作例に係る動作フローチャートである。
図８を参照すると、監視サーバ１０は、通信部１１を介して電力測定装置１７１、１７２、１７３、１７４から電力量データを収集することができる（Ｓ８１０）。
【００６７】
監視サーバ１０の制御部１２は、収集されたデータのうち、第２電力測定装置１７２の電力量データ（第２電力量データ）に基づいて第１電力測定装置１７１の電力量データ（第１電力量データ）を推定することができる。つまり、制御部１２は、第２電力測定装置１７２の電力量データ（第２電力量データ）に基づいて外部電力供給源１１０から供給される電力量データを推定することができる（Ｓ８２０）。
【００６８】
制御部１２は、第１電力測定装置１７１の電力量データ（第１電力量データ）を推定すると、第４電力測定装置１７４の電力量データ（第４電力量データ）を確認することができる（Ｓ８３０）。第４電力測定装置１７４で確認される電力量データは、エネルギー貯蔵装置１４０の一端（出力端）に接続された電子機器１５０でエネルギー貯蔵装置１４０から供給された電力を消費する電力消費量及び電力消費パターンに関する情報を含むことができる。
【００６９】
制御部１２は、第４電力測定装置１７４の電力量データ（第４電力量データ）を確認すると、第３電力測定装置１７３の電力量データ（第３電力量データ）を確認することができる（Ｓ８４０）。第３電力測定装置１７３の電力量データ（第３電力量データ）は、外部電力供給源１１０からエネルギー貯蔵装置１４０に供給される電力量を情報として含むことができる。
【００７０】
監視サーバ１０の制御部１２は、第３電力測定装置１７３及び第４電力測定装置１７４の電力量データ（第３及び第４電力量データ）に基づいてエネルギー貯蔵装置１４０の動作モードを推定することができる（Ｓ８５０）。詳述すると、制御部１２は、第３電力測定装置１７３の電力量データ（第３電力量データ）が０であり、第４電力測定装置１７４の電力量データ（第４電力量データ）が０を超えると、エネルギー貯蔵装置１４０が放電モードで動作すると推定することができる。すなわち、外部電力供給源１１０から供給される電力量は０であり、エネルギー貯蔵装置１４０の一端（出力端）に接続された電子機器１５０で消費される電力量データが取得されると、エネルギー貯蔵装置１４０に貯蔵された電力が電子機器１５０に供給される放電モードであると推定することができる。
【００７１】
制御部１２は、エネルギー貯蔵装置１４０の動作モードが放電モードであるかを判断し（Ｓ８６０）、放電モードであると判断されると（Ｓ８６０のＹＥＳ）、第４電力測定装置１７４の電力量データ（第４電力量データ）をエネルギー貯蔵装置１４０の放電量（推定される再生可能エネルギー源の動作モードに応じた電力量データ）と推定することができる（Ｓ８７０）。推定されたエネルギー貯蔵装置１４０の放電量は記憶部１３に記憶することができる。
【００７２】
一方、制御部１２は、エネルギー貯蔵装置１４０が放電モードでない場合（Ｓ８６０のＮＯ）、推定された動作モードに応じた情報及び電力量のデータを記憶部１３に記憶することができる（Ｓ８８０）。詳述すると、制御部１２は、エネルギー貯蔵装置１４０の推定された動作モードが放電モードでない場合、エネルギー貯蔵装置１４０の動作モードを第３電力量データ及び第４電力量データに基づいて再度推定することができる。すなわち、第３電力量データが０ではなく、第４電力量データが０である場合、エネルギー貯蔵装置１４０は充電モードであると推定することができる。または第３電力量データと第４電力量データとが同じである場合、エネルギー貯蔵装置１４０はＡＣ  ＰＡＳＳモードであると推定することができる。したがって制御部１２は、上記のようにエネルギー貯蔵装置１４０の動作モードを第３電力量データ及び第４電力量データに基づいて推定し、推定された動作モード及び充電量情報などを含む電力量データを記憶部１３に記憶することができる。上記のエネルギー貯蔵装置１４０の充電モード及びＡＣ  ＰＡＳＳモードの推定及び電力量の推定に関する詳細な説明は、図４と図６にて説明したので省略する。
【００７３】
図９は、監視サーバ１０でエネルギー貯蔵装置１４０の動作モードを推定し、それに応じた電力量データを推定するための負荷電力監視動作を実行する第１動作例に係る動作フローチャートである。
図９を参照すると、監視サーバ１０は、通信部１１を介して１つ以上の電力測定装置１７１、１７２、１７３、１７４から電力量データを収集することができる（Ｓ９１０）。
【００７４】
制御部１２は、通信部１１を介して第１電力測定装置１７１の電力量データ（第１電力量データ）を確認することができる（Ｓ９２０）。制御部１２は、外部電力供給源１１０から供給された電力量を情報として含む第１電力量データを確認することができる。
【００７５】
制御部１２は、通信部１１を介して第２電力測定装置１７２及び第４電力測定装置１７４から受信（収集）された電力量データを確認することができる（Ｓ９３０）。第２電力測定装置１７２及び第４電力測定装置１７４の電力量データ（第４電力量データ）は、それぞれ分電盤１２０及びエネルギー貯蔵装置１４０から供給される電力に関する電力消費量及び電力消費パターンに関する情報を含むことができる。この時、電力消費パターンに関する情報は、ＮＩＬＭ（Ｎｏｎ‐ｉｎｔｒｕｓｉｖｅ  Ｌｏａｄ  Ｍｏｎｉｔｏｒｉｎｇ）アルゴリズムに基づいて取得することができる。
【００７６】
また、第２電力測定装置１７２の電力量データ（第２電力量データ）と第４電力測定装置１７４の電力量データ（第４電力量データ）との和によって負荷電力監視システム内に接続される負荷で消費される電力量及び電力消費パターンに関する情報を含む電力量データを取得することができる。
【００７７】
制御部１２は、第１電力測定装置１７１の電力量データ（第１電力量データ）と第２電力測定装置１７２の電力量データ（第２電力量データ）及び第４電力測定装置１７４の電力量データ（第４電力量データ）に基づいてエネルギー貯蔵装置１４０の動作モードを推定することができる（Ｓ９４０）。詳述すると、第２電力量データと第４電力量データとの和に第１電力量データの差を算出し、その結果値によってエネルギー貯蔵装置１４０の動作モードを推定することができる。例えば、第２電力量データ及び第４電力量データの和が第１電力量データ未満であれば、エネルギー貯蔵装置１４０が充電モードで動作することを推定することができる。
【００７８】
制御部１２は、推定されたエネルギー貯蔵装置１４０の動作モードが充電モードであるかを判断し（Ｓ９５０）、充電モードと判断されると（Ｓ９５０のＹＥＳ）、算出された結果値を充電量（推定される再生可能エネルギー源の動作モードに応じた電力量データ）と推定することができる（Ｓ９６０）。推定された充電量データは記憶部１３に記憶することができる。
【００７９】
一方、制御部１２は、エネルギー貯蔵装置１４０が充電モードでない場合（Ｓ９５０のＮＯ）、推定された動作モードに応じた情報及び電力量データを記憶部１３に記憶することができる（Ｓ９７０）。詳述すると、制御部１２は、エネルギー貯蔵装置１４０の推定された動作モードが充電モードでない場合、エネルギー貯蔵装置１４０の動作モードを第１電力量データ、第２電力量データ及び第４電力量データに基づいて推定することができる。つまり、第２電力量データ及び第４電力量データの和が第１電力量データと同じであれば、エネルギー貯蔵装置１４０はＡＣ  ＰＡＳＳモードと推定することができる。あるいは、第１電力量データと第２電力量データが同一であり、第４電力量データが０を超えると、エネルギー貯蔵装置１４０は放電モードであると推定することができる。したがって制御部１２は、上記のようにエネルギー貯蔵装置１４０の動作モードを第１電力量データ、第２電力量データ及び第４電力量データに基づいて推定し、推定された動作モード及び放電量情報などを含む電力量データを記憶部１３に記憶することができる。エネルギー貯蔵装置１４０の放電モード及びＡＣ  ＰＡＳＳモードの推定及び電力量推定に関する詳細な説明は、図３と図７にて詳細に説明したので省略する。
【００８０】
図１０は、監視サーバ１０でエネルギー貯蔵装置１４０の動作モードを推定し、それに応じた電力量データを推定するための負荷電力監視動作を実行する第２動作例に係る動作フローチャートである。
図１０を参照すると、監視サーバ１０は、通信部１１を介して１つ以上の電力測定装置１７１、１７２、１７３、１７４から電力量データを収集することができる（Ｓ１０１０）。
【００８１】
監視サーバ１０の制御部１２は、収集された電力量データのうち分電盤１２０の入力端に接続される第２電力測定装置１７２及びエネルギー貯蔵装置１４０の入力端に接続される第３電力測定装置１７３からそれぞれ取得された電力量データに基づいて、外部電力供給源１１０から供給される電力量（第１電力量データ）、すなわち、第１電力測定装置１７１で取得される電力量データを推定することができる（Ｓ１０２０）。
【００８２】
監視サーバ１０の制御部１２は、第１電力測定装置１７１の電力量データ（第１電力量データ）が推定されると、第４電力測定装置１７４から受信（収集）された第４電力量データを確認することができる（Ｓ１０３０）。この時、制御部１２は、既に確認された第２電力測定装置１７２の電力量データ（第２電力量データ）と第４電力測定装置１７４の電力量データ（第４電力量データ）との和によって監視システムに接続される負荷の総電力消費量及び消費パターンを確認することができる。
【００８３】
監視サーバ１０の制御部１２は、第４電力測定装置１７４の電力量データ（第４電力量データ）が確認されると、第３電力測定装置１７３及び第４電力測定装置１７４の電力量データ（第３及び第４電力量データ）に基づくエネルギー貯蔵装置１４０の動作モードを推定することができる（Ｓ１０４０）。詳述すると、第３電力測定装置１７３の電力量データ（第３電力量データ）が第４電力測定装置１７４の電力量データ（第４電力量データ）を超える場合、エネルギー貯蔵装置１４０の動作モードを充電モードと推定することができる。
【００８４】
制御部１２は、エネルギー貯蔵装置１４０が充電モードであるかを判断し（Ｓ１０５０）、エネルギー貯蔵装置１４０の動作モードが充電モードである場合（Ｓ１０５０のＹＥＳ）、第３電力測定装置１７３の電力量データ（第３電力量データ）と第４電力測定装置１７４の電力量データ（第４電力量データ）との差により、エネルギー貯蔵装置１４０の充電量（推定される再生可能エネルギー源の動作モードに応じた電力量データ）を推定することができる（Ｓ１０６０）。推定されたエネルギー貯蔵装置１４０の充電量は記憶部１３に記憶することができる。
【００８５】
一方、推定されたエネルギー貯蔵装置１４０の動作モードが充電モードでない場合（Ｓ１０５０のＮＯ）、推定された動作モードに応じた状態情報及び電力量データを記憶部１３に記憶することができる（Ｓ１０７０）。詳述すると、制御部１２は、エネルギー貯蔵装置１４０の推定された動作モードが充電モードでない場合、エネルギー貯蔵装置１４０の動作モードを第３電力量データ及び第４電力量データに基づいて再度推定することができる。すなわち、第３電力量データと第４電力量データとが同じである場合、エネルギー貯蔵装置１４０はＡＣ  ＰＡＳＳモードであると推定することができる。または、第３電力量データが０であり、第４電力量データが０を超えると、エネルギー貯蔵装置１４０は放電モードであると推定することができる。したがって制御部１２は、上記のようにエネルギー貯蔵装置１４０の動作モードを第３電力量データ及び第４電力量データに基づいて推定し、推定された動作モード及び放電量情報などを含む電力量データを記憶部１３に記憶することができる。上記のエネルギー貯蔵装置１４０の放電モード及びＡＣ  ＰＡＳＳモードの推定及び電力量推定に関する詳細な説明は、図４と図８にて説明したので省略する。
【００８６】
制御部１２は、上記のように本実施形態に係る負荷電力監視システムが適用される負荷電力監視動作によって取得された情報については、ユーザーの要求によって出力部１４を介して出力することができる。
【００８７】
上記のように本実施形態に係る負荷電力監視システムは、外部電力供給源１１０から供給される電力を貯蔵するためのエネルギー貯蔵装置１４０のような再生可能エネルギー源を含んで構成することができる。再生可能エネルギー源は、一端（出力端）に接続された負荷に外部電力供給源１から供給される電力をパスしたり、放電または充電したりすることができる。上記の電力消費に応じた電力量データは、負荷電力監視システムを構成する少なくとも１つ以上の電力測定装置から取得された電力量データに基づいて推定されるか確認され得る。また、推定または確認された電力量データに基づいて再生可能エネルギー源の動作モードを推定することができる。
【００８８】
図１１は、別の実施形態に係る負荷電力監視システムの構成を示すブロック図である。
図１１を参照すると、別の実施形態に係る負荷電力監視システムは、監視サーバ１０、外部電力供給源１１０、分電盤１２０、電子機器１３０，１５０、エネルギー貯蔵装置１４０及び太陽光発電装置１６０を含む。特に、外部電力供給源１１０、分電盤１２０、エネルギー貯蔵装置１４０及び太陽光発電装置１６０の一端または両端には、上記の装置に流入（供給）されたり上記の装置から出力されたりする電力量データを取得するための電力測定装置１７１，１７２，１７３，１７４，１７５を接続することができる。
【００８９】
別の実施形態では、再生可能エネルギー源の例としてエネルギー貯蔵装置１４０と太陽光発電装置１６０とが一緒に構成された場合、すなわち、複数の再生可能エネルギー源が接続される構成を説明する。
別の実施形態として、第３動作例と、第４動作例と、第５動作例とを説明する。
【００９０】
監視サーバ１０は、電力測定装置１７１，１７２，１７３，１７４，１７５から取得された負荷及び電力源の電力消費量、流入（供給）量、充放電量及び電力消費パターンを含む電力量データを取得することができる。取得されたデータに基づいて負荷電力を監視及び出力することができる。
【００９１】
監視サーバ１０の構成は、図２３を参照して第１動作例で説明したので詳細な説明は省略する。
【００９２】
外部電力供給源１１０は、発電所などの外部発電源であって、外部電力供給源１１０から供給される電力は分電盤１２０を介して宅内の電子機器１３０を含む様々な負荷に供給することができる。特に、外部電力供給源１１０は、再生可能エネルギー源がエネルギー貯蔵装置１４０で構成される場合、エネルギー貯蔵装置１４０に電力を供給して電力を充電するようにすることができる。
【００９３】
分電盤１２０は、外部電力供給源１１０から供給される電力または再生可能エネルギー源から供給される電力を宅内の電子機器１３０のような様々な負荷に供給されるように分配することができる。
【００９４】
エネルギー貯蔵装置１４０（ＥＥＳ：Ｅｌｅｃｔｒｉｃ  Ｅｎｅｒｇｙ  Ｓｔｏｒａｇｅ）は、外部電力供給源１１０から供給される電力を貯蔵し、貯蔵された電力を一定時点（またはユーザーの要求時点）にエネルギー貯蔵装置１４０の一端（出力端）に接続される電子機器１５０に供給するようにすることができる。例えば、深夜の時間のように電力が消費少ないか、電力使用料金が安価な時間帯にエネルギー貯蔵装置１４０に電力を貯蔵し、電力需要量が急増したり電力使用料金が高い時間帯に貯蔵された電力を一端（出力端）に接続される電子機器１５０に放電することができる。
【００９５】
太陽光発電装置１６０は、太陽光モジュール１６１及び制御モジュール１６２を含んで構成することができる。太陽光発電装置１６０の太陽光モジュール１６１に入射される太陽光エネルギーを制御モジュール１６２で交流電力を変換して分電盤１２０またはエネルギー貯蔵装置１４０に供給されるようにすることができる。
【００９６】
外部電力供給源１１０、分電盤１２０の入力端、エネルギー貯蔵装置１４０の両端及び太陽光発電装置１６０の出力端には、それぞれ電力測定装置１７１，１７２，１７３，１７４，１７５を接続することができる。
【００９７】
外部電力供給源１１０の出力端に接続される第１電力測定装置１７１は、外部電力供給源１１０から供給される電力量を取得することができる少なくとも１つのモジュールで構成することができる。
【００９８】
分電盤１２０の入力端に接続される第２電力測定装置１７２は、太陽光発電装置１６０及び外部電力供給源１１０から供給される電力を宅内の電子機器１３０のような様々な負荷に供給する場合、負荷で使用される電力量を取得することができる少なくとも１つのモジュールで構成することができる。特に第２電力測定装置１７２は、負荷の消費電力量の測定に加えて、負荷の電力量の使用パターンを取得することができる。つまり、第２電力測定装置１７２は、負荷の消費電力量に加えて、負荷の動作状態の情報及び電力消費パターンの情報を含んで電力量データを取得することができる。
【００９９】
エネルギー貯蔵装置１４０の入力端及び出力端には、第３電力測定装置１７３及び第４電力測定装置１７４を接続することができる。第３電力測定装置１７３は、太陽光発電装置１６０及び外部電力供給源１１０から供給される電力量を取得することができる少なくとも１つのモジュールで構成することができる。第４電力測定装置１７４は、エネルギー貯蔵装置１４０に貯蔵された電力を一端（出力端）に接続された電子機器１５０のような負荷に放電する場合、放電される電力量及び放電電力量の使用パターンを取得することができる。
【０１００】
太陽光発電装置１６０の出力端に接続する第５電力測定装置１７５は、太陽光発電装置１６０で発電される電力量を取得することができる少なくとも１つのモジュールで構成することができる。
【０１０１】
上記のように複数の再生可能エネルギー源及び電力測定装置を含む負荷電力監視システムの構成に基づいて、図１２〜図２２を参照して別の実施形態に係る負荷電力監視方法について詳細に説明する。以下の監視方法は、データが収集される順序を限定して説明したが、これはデータ収集の順序とは無関係に、１つ以上の電力測定装置からデータを収集することができる。
【０１０２】
図１２〜図２２は、別の実施形態に係る負荷電力監視システムが適用される負荷電力監視動作のフローチャートである。
【０１０３】
図１２は、監視サーバ１０でエネルギー貯蔵装置１４０がＡＣ  ＰＡＳＳモードで動作する場合の負荷電力監視動作を実行する第３動作例に係る動作フローチャートである。
図１２を参照すると、監視サーバ１０は、通信部１１を介して電力測定装置１７１、１７２、１７３、１７４、１７５から電力量データを収集することができる（Ｓ１２１０）。
【０１０４】
監視サーバ１０の制御部１２は、通信部１１を介して収集された第１電力測定装置１７１の電力量データ（第１電力量データ）を確認することができる（Ｓ１２２０）。制御部１２は、外部電力供給源１１０から供給された電力量を情報として含む第１電力量データを確認することができる。
【０１０５】
監視サーバ１０の制御部１２は、第１電力測定装置１７１の電力量データ（第１電力量データ）を確認すると、第５電力測定装置１７５から受信（収集）された第５電力量データを確認することができる（Ｓ１２３０）。第５電力量データは、第２再生可能エネルギー源、すなわち、太陽光発電装置１６０から発電された電力量を情報として含むことができる。
【０１０６】
制御部１２は、第５電力測定装置１７５の電力量データを確認すると、第２電力測定装置１７２から受信（収集）された電力量データ（第２電力量データ）と第４電力測定装置１７４の電力量データ（第４電力量データ）を確認することができる（Ｓ１２４０）。第２電力量データは、分電盤１２０を介して電力が供給される電子機器１３０の電力消費パターン及び電力消費量に関する情報を含むことができる。また、第４電力量データは、第１再生可能エネルギー源、すなわち、エネルギー貯蔵装置１４０の一端に接続された電子機器１５０が消費する電力量及び電力消費パターンに関する情報を含むことができる。第２電力量データと第４電力量データの電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【０１０７】
また、第２電力測定装置１７２の電力量データ（第２電力量データ）と第４電力測定装置１７４の電力量データ（第４電力量データ）との和によって負荷電力監視システム内に接続される負荷で消費される電力量及び電力消費パターンに関する情報を電力量データとして取得することができる。
【０１０８】
制御部１２は、確認された第１電力量データ及び第５電力量データの和と第２電力量データ及び第４電力量データの和とを比較して、第１再生可能エネルギー源であるエネルギー貯蔵装置１４０の動作モードを推定することができる（Ｓ１２５０）。詳述すると、第１電力量データ及び第５電力量データの和と第２電力量データ及び第４電力量データの和が同じである場合、エネルギー貯蔵装置１４０はＡＣ  ＰＡＳＳモードで動作すると推定することができる。
【０１０９】
したがって制御部１２は、エネルギー貯蔵装置１４０の動作モードをＡＣ  ＰＡＳＳモードと推定し、確認された第５電力量データを第２再生可能エネルギー源、すなわち、太陽光発電装置１６０の発電量と推定することができる。
【０１１０】
監視サーバ１０の制御部１２は、上記の動作によって確認された電力量データとエネルギー貯蔵装置１４０の動作モードに関する情報を記憶部１３に記憶することができる（Ｓ１２６０）。
【０１１１】
図１３は、監視サーバ１０でエネルギー貯蔵装置１４０がＡＣ  ＰＡＳＳモードで動作する場合の負荷電力監視動作を実行する第４動作例に係る動作フローチャートである。
図１３を参照すると、監視サーバ１０は、通信部１１を介して１つ以上の電力測定装置１７１、１７２、１７３、１７４、１７５から電力量データを収集することができる（Ｓ１３１０）。
【０１１２】
制御部１２は、通信部１１を介して第１電力測定装置１７１の電力量データ（第１電力量データ）を確認することができる（Ｓ１３２０）。制御部１２は、外部電力供給源１１０から供給された電力量を情報として含む第１電力量データを確認することができる。
【０１１３】
制御部１２は、第１電力測定装置１７１の電力量データ（第１電力量データ）を確認すると、第２電力測定装置１７２から受信（収集）された電力量データ（第２電力量データ）と第４電力測定装置１７４の電力量データ（第４電力量データ）を確認することができる（Ｓ１３３０）。第２電力量データは、分電盤１２０を介して電力が供給される電子機器１３０の電力消費パターン及び電力消費量に関する情報を含むことができる。また、第４電力量データは、第１再生可能エネルギー源、すなわち、エネルギー貯蔵装置１４０の一端（出力端）に接続された電子機器１５０が消費する電力量及び電力消費パターンに関する情報を含むことができる。第２電力量データと第４電力量データの電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【０１１４】
また、第２電力測定装置１７２の電力量データ（第２電力量データ）と第４電力測定装置１７４の電力量データ（第４電力量データ）との和によって負荷電力監視システム内に接続される負荷で消費される電力量及び電力消費パターンに関する情報を電力量データとして取得することができる。
【０１１５】
制御部１２は、第３電力測定装置１７３と第４電力測定装置１７４の電力量データ（第４電力量データ）に基づいて、第１再生可能エネルギー源であるエネルギー貯蔵装置１４０の動作モードを推定することができる（Ｓ１３４０）。詳述すると、第３電力測定装置１７３の電力量データ（第３電力量データ）と第４電力測定装置１７４の電力量データ（第４電力量データ）とを比較し、電力量データが同じである場合、エネルギー貯蔵装置１４０の動作モードをＡＣ  ＰＡＳＳモードと推定することができる。
【０１１６】
したがって制御部１２は、第２電力量データ及び第４電力量データの和に、第１電力量データの差を算出して第２再生可能エネルギー源である太陽光発電装置１６０の発電量を推定することができる（Ｓ１３５０）。
【０１１７】
監視サーバ１０の制御部１２は、上記の動作によって確認された電力量データとエネルギー貯蔵装置１４０の動作モードに関する情報とを記憶部１３に記憶することができる（Ｓ１３６０）。
【０１１８】
図１４は、監視サーバ１０でエネルギー貯蔵装置１４０がＡＣ  ＰＡＳＳモードで動作する場合の負荷電力監視動作を実行する第５動作例に係る動作フローチャートである。
図１４を参照すると、監視サーバ１０は、通信部１１を介して電力測定装置１７１、１７２、１７３、１７４、１７５から電力量データを収集することができる（Ｓ１４１０）。
【０１１９】
監視サーバ１０の制御部１２は、収集された電力量データのうち第３電力測定装置１７３、第２電力測定装置１７２及び第５電力測定装置１７５の電力量データ（第３電力量データ、第２電力量データ、第５電力量データ）に基づいて、外部電力供給源１１０から供給される電力量のデータ、すなわち、第１電力測定装置１７１の電力量データ（第１電力量データ）を推定することができる（Ｓ１４２０）。詳述すると、第２電力量データと第３電力量データとの和に第５電力量データの差を算出して、算出された値を第１電力量データと推定することができる。つまり、外部電力供給源から供給される電力を消費する分電盤１２０及びエネルギー貯蔵装置１４０に供給された電力量データから電力を発電する太陽光発電装置１６０の電力量データを除けば、第１電力量データを推定することができる。
【０１２０】
制御部１２は、第１電力測定装置１７１の電力量データ（第１電力量データ）が推定されると、第４電力測定装置１７４から受信（収集）された第４電力量データを確認することができる（Ｓ１４３０）。このとき、制御部１２は、既に確認された第２電力測定装置１７２の電力量データ（第２電力量データ）と第４電力測定装置１７４の電力量データ（第４電力量データ）との和によって監視システムに接続される負荷の総電力消費量及び消費パターンを確認することができる。第２電力量データと第４電力量データは、各電子機器１３０，１５０が消費する電力量及び電力消費パターンに関する情報を含むことができる。第２電力量データと第４電力量データの電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【０１２１】
制御部１２は、第３電力量データと第４電力量データに基づいて第１再生可能エネルギー源であるエネルギー貯蔵装置１４０の動作モードを推定することができる（Ｓ１４４０）。詳述すると、第３電力量データと第４電力量データとを比較し、第３電力量データと第４電力量データとが同じである場合、外部電力供給源１１０または太陽光発電装置１６０から供給される電力を消費しないＡＣ  ＰＡＳＳモードと推定することができる。
したがって制御部１２は、第３電力量データをエネルギー貯蔵装置１４０の充電量（推定される再生可能エネルギー源の動作モードに応じた電力量データ）と推定することができる（Ｓ１４５０）。
【０１２２】
監視サーバ１０の制御部１２は、上記の動作によって確認された電力量データとエネルギー貯蔵装置１４０の動作モードに関する情報及び充電量を記憶部１３に記憶することができる（Ｓ１４６０）。
【０１２３】
図１５は、監視サーバ１０でエネルギー貯蔵装置１４０が充電モードまたは放電モードで動作する場合の負荷電力監視動作を実行する第３動作例に係る動作フローチャートである。
図１５を参照すると、監視サーバ１０は、通信部１１を介して１つ以上の電力測定装置１７１、１７２、１７３、１７４、１７５から電力量データを収集することができる（Ｓ１５１０）。
【０１２４】
制御部１２は、各１つ以上の電力測定装置１７１、１７２、１７３、１７４、１７５から収集された電力量データをそれぞれ確認し、第１電力測定装置１７１及び第５電力測定装置１７５の電力量データ（第１電力量データ、第５電力量データ）の和と、第２電力測定装置１７２の電力量データ（第２電力量データ）及び第４電力測定装置１７４の電力量データ（第４電力量データ）とを比較してエネルギー貯蔵装置１４０の動作モードを推定することができる（Ｓ１５２０）。詳述すると、制御部１２は、第２電力量データが第１電力量データと第５電力量データとの和よりも小さく（未満であり）、第４電力量データが０でない場合、エネルギー貯蔵装置１４０の動作モードを充電モードと推定することができる。一方、第１電力量データと第５電力量データとの和が第２電力量データよりも小さい場合（未満であれば）、エネルギー貯蔵装置１４０の動作モードを放電モードと推定することができる。
【０１２５】
したがって制御部１２は、第１電力量データ、第２電力量データ、第４電力量データ及び第５電力量データに基づいて、第１再生可能エネルギー源、すなわち、エネルギー貯蔵装置１４０の動作モードを推定して充電モードと推定されると、第１電力量データと第５電力量データとの和に第２電力量データを除いた電力量データをエネルギー貯蔵装置１４０の充電量（推定される再生可能エネルギー源の動作モードに応じた電力量データ）と推定することができる。この時、第５電力量データは、太陽光発電装置１６０の発電量と推定することができる（Ｓ１５３０）。
【０１２６】
一方、制御部１２は、エネルギー貯蔵装置１４０の動作モードが放電モードと推定されると、第１電力量データと第５電力量データとの和から第２電力量データを除いた電力量データをエネルギー貯蔵装置１４０の放電量と推定することができる。この時、第５電力量データは、太陽光発電装置１６０の発電量と推定され得る（Ｓ１５４０）。
【０１２７】
監視サーバ１０の制御部１２は、上記の動作によって確認された電力量データとエネルギー貯蔵装置１４０の動作モードに関する情報及び電力量データの情報を記憶部１３に記憶することができる（Ｓ１５５０）。
【０１２８】
図１６は、監視サーバ１０でエネルギー貯蔵装置１４０が充電モードで動作する場合の負荷電力監視動作を実行する第４動作例に係る動作フローチャートである。
図１６を参照すると、監視サーバ１０は、通信部１１を介して電力測定装置１７１、１７２、１７３、１７４、１７５から電力量データを収集することができる（Ｓ１６１０）。
【０１２９】
制御部１２は、通信部１１を介して第１電力測定装置１７１の電力量データ（第１電力量データ）を確認することができる（Ｓ１６２０）。制御部１２は、外部電力供給源１１０から供給された電力量を情報として含む第１電力量データを確認することができる。
【０１３０】
監視サーバ１０の制御部１２は、第１電力測定装置１７１の電力量データ（第１電力量データ）を確認すると、第２電力測定装置１７２から受信（収集）された電力量データを確認することができる（Ｓ１６３０）。制御部１２は、分電盤１２０を介して電力が供給される電子機器１３０の電力消費パターン及び電力消費量に関する情報を含む第２電力量データを確認することができる。この時、電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【０１３１】
制御部１２は、第３電力測定装置１７３及び第４電力測定装置１７４の電力量データ（第４電力量データ）に基づいて、第１再生可能エネルギー源であるエネルギー貯蔵装置１４０の動作モードを推定することができる（Ｓ１６４０）。詳述すると、制御部１２は、第３電力測定装置１７３の電力量データ（第３電力量データ）と第４電力測定装置１７４の電力量データ（第４電力量データ）をそれぞれ確認し、第３電力量データが０ではなく、第４電力量データが０である場合、エネルギー貯蔵装置１４０の動作モードを充電モードと推定することができる。
【０１３２】
制御部１２は、エネルギー貯蔵装置１４０の動作モードを充電モードと推定すると、第３電力量データの値をエネルギー貯蔵装置１４０に充電される充電量（推定される再生可能エネルギー源の動作モードに応じた電力量データ）と推定することができる（Ｓ１６５０）。
【０１３３】
制御部１２は、エネルギー貯蔵装置１４０の動作モード及び充電量を推定すると、第１電力量データと第３電力量データ及び第１電力量データに基づいて第２再生可能エネルギー源である太陽光発電装置１６０の発電量を推定することができる（Ｓ１６６０）。詳述すると、制御部１２は、第３電力量データと第２電力量データとの和を第１電力量データから除くと（差を求めると）、外部電力供給源１１０から供給された電力量データ、すなわち、第５電力量データが算出され得る。
【０１３４】
監視サーバ１０の制御部１２は、上記の動作によって確認された電力量データと、エネルギー貯蔵装置１４０の動作モードに関する情報及び電力量データの情報を記憶部１３に記憶することができる（Ｓ１６７０）。
【０１３５】
図１７は、監視サーバ１０でエネルギー貯蔵装置１４０が充電モードで動作する場合の負荷電力監視動作を実行する第５動作例に係る動作フローチャートである。
図１７を参照すると、監視サーバ１０は、通信部１１を介して電力測定装置１７１、１７２、１７３、１７４、１７５から電力量データを収集することができる（Ｓ１７１０）。
【０１３６】
監視サーバ１０の制御部１２は、通信部１１を介して収集された第２電力測定装置１７２、第３電力測定装置１７３及び第５電力測定装置１７５の電力量データ（第２電力量データ、第３電力量データ及び第５電力量データ）に基づいて第１電力測定装置１７１の電力量データ（第１電力量データ）である外部電力供給源１１０から供給された電力量データを推定することができる（Ｓ１７２０）。
【０１３７】
制御部１２は、第１電力量データを確認すると、第４電力測定装置１７４の電力量データ（第４電力量データ）を確認し、既に確認された第３電力量データと第４電力量データに基づいて第１再生可能エネルギー源であるエネルギー貯蔵装置１４０の動作モードを推定することができる（Ｓ１７３０）。詳述すると、制御部１２は、第３電力量データと第４電力量データを確認し、第３電力量データが０ではなく、第４電力量データが０である場合、エネルギー貯蔵装置１４０は外部電力供給源１１０または太陽光発電装置１６０から供給される電力を充電し、一端（出力端）に接続された電子機器１５０に放出しない充電モードであると推定することができる。
【０１３８】
制御部１２は、エネルギー貯蔵装置１４０の動作モードが充電モードと推定されると、第３電力量データをエネルギー貯蔵装置１４０の充電量（推定される再生可能エネルギー源の動作モードに応じた電力量データ）と推定することができる（Ｓ１７４０）。
【０１３９】
制御部１２は、推定されたエネルギー貯蔵装置１４０の動作モード情報及び電力量データに関する情報を記憶部１３に記憶することができる（Ｓ１７５０）。
【０１４０】
図１８は、監視サーバ１０でエネルギー貯蔵装置１４０が放電モードで動作する場合の負荷電力監視動作を実行する第４動作例に係る動作フローチャートである。
図１８を参照すると、監視サーバ１０は通信部１１を介して電力測定装置１７１、１７２、１７３、１７４、１７５から電力量データを収集することができる（Ｓ１８１０）。
【０１４１】
監視サーバ１０の制御部１２は、通信部１１を介して電力量データのうち収集された第３電力測定装置１７３の電力量データ（第３電力量データ）を確認し、第３電力量データを基に第１再生可能エネルギー源であるエネルギー貯蔵装置１４０の動作モードを推定することができる（Ｓ１８２０）。詳述すると、制御部１２は、第３電力量データが０である場合、外部電力供給源１１０または太陽光発電装置１６０から電力が供給されないと推定し、エネルギー貯蔵装置１４０の動作モードを一端（出力端）に接続された電子機器１５０に電力を放電する放電モードと推定することができる。
【０１４２】
制御部１２は、エネルギー貯蔵装置１４０が放電モードであると推定すると、既に収集された第１電力測定装置１７１の電力量データ（第１電力量データ）、第２電力測定装置１７２の電力量データ（第２電力量データ）及び第３電力測定装置１７３の電力量データ（第３電力量データ）を基に、太陽光発電装置１６０の発電量を推定することができる（Ｓ１８３０）。詳述すると、第１電力量データから制御部１２は、第２電力量データと第３電力量データとの和を除けば太陽光発電装置１６０で発電された電力の発電量を推定することができる。
【０１４３】
制御部１２は、推定されたエネルギー貯蔵装置１４０の動作モード情報及び電力量データに関する情報を記憶部１３に記憶することができる（Ｓ１８４０）。
【０１４４】
図１９は、監視サーバ１０でエネルギー貯蔵装置１４０が放電モードで動作する場合の負荷電力監視動作を実行する第５動作例に係る動作フローチャートである。
図１９を参照すると、監視サーバ１０は、通信部１１を介して電力測定装置１７１、１７２、１７３、１７４、１７５から電力量データを収集することができる（Ｓ１９１０）。
【０１４５】
制御部１２は、通信部１１を介して収集された電力量データのうち、第２電力測定装置１７２、第３電力測定装置１７３及び第５電力測定装置１７５から収集された電力量データ（第２電力量データ、第３電力量データ、第５電力量データ）を参照して、第１電力測定装置１７１の電力量データ（第１電力量データ）、すなわち、外部電力供給源１１０から供給される電力量データ（第１電力量データ）を推定することができある（Ｓ１９２０）。詳述すると、制御部１２は、第２電力量データと第３電力量データとの和を第５電力量データから除くと第１電力量データを算出することができる。
【０１４６】
制御部１２は、第１電力量データが推定されると、第３電力量データに基づいて第１再生可能エネルギー源であるエネルギー貯蔵装置１４０の動作モードを推定することができる（Ｓ１９３０）。詳述すると、制御部１２は、第３電力量データを確認して、第３電力量データが０の場合、エネルギー貯蔵装置１４０に供給される電力が存在せず、エネルギー貯蔵装置１４０に貯蔵された電力が一端（出力端）に接続された電子機器１５０に放電される放電モードと推定することができる。したがって制御部１２は、エネルギー貯蔵装置１４０の動作モードが放電モードであると推定されると、第４電力量データを放電量と推定することができる。また第５電力量データを、太陽光発電装置１６０の発電量と推定することができる。
【０１４７】
制御部１２は、推定されたエネルギー貯蔵装置１４０の動作モード情報及び電力量データに関する情報を記憶部１３に記憶することができる（Ｓ１９４０）。
【０１４８】
図２０は、監視サーバ１０でエネルギー貯蔵装置１４０の動作モードを推定し、それに応じた電力量データを推定するための負荷電力監視動作を実行する第３動作例に係る動作フローチャートである。
図２０を参照すると、監視サーバ１０は、通信部１１を介して１つ以上の電力測定装置１７１、１７２、１７３、１７４、１７５から電力量データを収集することができる（Ｓ２０１０）。
【０１４９】
制御部１２は、収集された電力量データのうち、第１電力測定装置１７１、第５電力測定装置１７５、第２電力測定装置１７２、及び第４電力測定装置１７４からそれぞれ収集された電力量データ（第１電力量データ、第５電力量データ、第２電力量データ、第４電力量データ）に基づいて、第１再生可能エネルギー源であるエネルギー貯蔵装置１４０の動作モードを推定することができる（Ｓ２０２０）。詳述すると、制御部１２は、確認された第１電力量データ及び第５電力量データの和と、第４電力量データ及び第２電力量データの和とを比較して、エネルギー貯蔵装置１４０の動作モードを推定することができる。つまり、制御部１２は、第１電力量データと第５電力量データとの和が第４電力量データ及び第２電力量データの和を超える場合、外部電力供給源１１０及び太陽光発電装置１６０から供給される電力量が負荷で消費する電力量よりも大きいため、エネルギー貯蔵装置１４０は充電モードと推定することができる。
【０１５０】
制御部１２は、エネルギー貯蔵装置１４０が充電モードであると推定されると、第１電力量データ及び第５電力量データの和と第４電力量データ及び第２電力量データの和との差を演算してエネルギー貯蔵装置１４０の充電量（推定される再生可能エネルギー源の動作モードに応じた電力量データ）を推定することができる（Ｓ２０３０）。
【０１５１】
制御部１２は、推定されたエネルギー貯蔵装置１４０の動作モード情報及び電力量データに関する情報を記憶部１３に記憶することができる（Ｓ２０４０）。
【０１５２】
図２１は、監視サーバ１０でエネルギー貯蔵装置１４０の動作モードを推定し、それに応じた電力データを推定するための負荷電力監視動作を実行する第４動作例に係る動作フローチャートである。
図２１を参照すると、監視サーバ１０は、通信部１１を介して１つ以上の電力測定装置１７１、１７２、１７３、１７４、１７５から電力量データを収集することができる（Ｓ２１１０）。
【０１５３】
制御部１２は、収集された電力量データのうち、第１電力測定装置１７１の電力量データ（第１電力量データ）を確認することができる（Ｓ２１２０）。
制御部１２は、第１電力量データを確認すると、第２電力測定装置１７２及び第４電力測定装置１７４の電力量データ（第４電力量データ）を確認することができる（Ｓ２１３０）。このとき、制御部１２は、第２電力測定装置１７２の電力量データ（第２電力量データ）と第４電力測定装置１７４の電力量データ（第４電力量データ）との和によって監視システムに接続される負荷の総電力消費量及び消費パターンを確認することができる。第２電力量データと第４電力量データは、各電子機器１３０，１５０が消費する電力量及び電力消費パターンに関する情報を含むことができる。第２電力量データと第４電力量データの電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【０１５４】
制御部１２は、収集された電力量データのうち、第３電力測定装置１７３及び第４電力測定装置１７４の電力量データ（第３電力量データ、第４電力量データ）に基づく第１再生可能エネルギー源であるエネルギー貯蔵装置１４０の動作モードを推定することができる（Ｓ２１４０）。詳述すると、制御部１２は、第３電力量データが第４電力量データを超過する場合、すなわち、エネルギー貯蔵装置１４０に供給される電力量データが一端（出力端）に接続された電子機器１５０で消費される電力量のエネルギーよりも大きい場合、エネルギー貯蔵装置１４０の動作モードを充電モードと推定することができる。
【０１５５】
制御部１２は、推定されたエネルギー貯蔵装置１４０の動作モードに応じて第３電力量データと第４電力量データとの差に基づく第１再生可能エネルギー源であるエネルギー貯蔵装置１４０の充電量（推定される再生可能エネルギー源の動作モードに応じた電力量データ）を推定することができる（Ｓ２１５０）。
【０１５６】
制御部１２は、第１再生可能エネルギー源の動作モード及び電力量データを推定し、第１電力測定装置１７１、第２電力測定装置１７２及び第３電力測定装置１７３の電力量データ（第１電力量データ、第２電力量データ、第３電力量データ）に基づいて、第２再生可能エネルギー源である太陽光発電装置１６０の発電量を推定することができる（Ｓ２１６０）。詳述すると、制御部１２は、第３電力量データと第２電力量データとの和から第１電力量データを除けば第２再生可能エネルギー源である太陽光発電装置１６０で発電された電力量を推定することができる。
【０１５７】
制御部１２は、推定されたエネルギー貯蔵装置１４０の動作モード情報及び電力量データに関する情報を記憶部１３に記憶することができる（Ｓ２１７０）。
【０１５８】
図２２は、監視サーバ１０でエネルギー貯蔵装置１４０の動作モードを推定し、それに応じた電力量データを推定するための負荷電力監視動作を実行する第５動作例に係る動作フローチャートである。
図２２を参照すると、監視サーバ１０は、通信部１１を介して１つ以上の電力測定装置１７１、１７２、１７３、１７４、１７５から電力量データを収集することができる（Ｓ２２１０）。
【０１５９】
制御部１２は、収集された電力量データのうち、第２電力測定装置１７２、第３電力測定装置１７３、第５電力測定装置１７５の電力量データ（第２電力量データ、第３電力量データ、第５電力量データ）に基づいて、外部電力供給源１１０から供給される電力量データ、すなわち、第１電力測定装置１７１で確認され得る電力量データ（第１電力量データ）を推定することができる（Ｓ２２２０）。詳述すると、制御部１２は、第３電力量データと第２電力量データとの和から第５電力量データを除けば、外部電力供給源１１０から供給される電力量（第１電力量データ）を推定することができる。
【０１６０】
制御部１２は、第１電力量データが推定されると、第２電力測定装置１７２及び第４電力測定装置１７４の電力量データ（第４電力量データ）を確認することができる（Ｓ２２３０）。このとき、制御部１２は、第２電力測定装置１７２の電力量データ（第２電力量データ）と第４電力測定装置１７４の電力量データ（第４電力量データ）との和によって監視システムに接続される負荷の総電力消費量及び消費パターンを確認することができる。第２電力量データと第４電力量データは、各電子機器１３０，１５０が消費する電力量及び電力消費パターンに関する情報を含むことができる。第２電力量データと第４電力量データの電力消費パターンに関する情報は、ＮＩＬＭ（Ｎｏｎ−ｉｎｔｒｕｓｉｖｅ  Ｌｏａｄ  Ｍｏｎｉｔｏｒｉｎｇ）アルゴリズムに基づいて取得することができる。
【０１６１】
制御部１２は、第３電力量データと第４電力量データに基づいて、第１再生可能エネルギー源であるエネルギー貯蔵装置１４０の動作モードを推定することができる（Ｓ２２４０）。詳述すると、制御部１２は、第３電力量データが第４電力量データを超過する場合、すなわち、エネルギー貯蔵装置１４０に供給される電力量データが一端（出力端）に接続された電子機器１５０で消費される電力量のエネルギーよりも大きい場合、エネルギー貯蔵装置１４０の動作モードを充電モードと推定することができる。
【０１６２】
制御部１２は、推定されたエネルギー貯蔵装置１４０の動作モードに応じて第３電力量データと第４電力量データとの差に基づく第１再生可能エネルギー源であるエネルギー貯蔵装置１４０の充電量（推定される再生可能エネルギー源の動作モードに応じた電力量データ）を推定することができる。
【０１６３】
また、制御部１２は、第１再生可能エネルギー源であるエネルギー貯蔵装置１４０の動作モードが充電モードであると推定されることから、第５電力量データを基に第２再生可能エネルギー源である太陽光発電装置１６０の電力発電量（第５電力量データ）を推定することができる（Ｓ２２５０）。
【０１６４】
制御部１２は、推定されたエネルギー貯蔵装置１４０の動作モード情報及び電力量
データに関する情報を記憶部１３に記憶することができる（Ｓ２２６０）。
【０１６５】
上記のように別の実施形態に係る負荷電力監視システムは、外部電力供給源１１０から供給される電力を貯蔵するためのエネルギー貯蔵装置１４０と太陽光発電による電力を発電することができる太陽光発電装置１６０のように複数の再生可能エネルギー源を含んで構成することができる。特に、第１再生可能エネルギー源であるエネルギー貯蔵装置１４０は、一端（出力端）に接続された負荷に外部電力供給源から供給される電力及び第２再生可能エネルギー源である太陽光発電装置１６０から発電された電力をパスしたり、放電または充電したりすることができる。上記の電力消費に応じた電力量データは、負荷電力監視システムを構成する少なくとも１つ以上の電力測定装置から取得された電力量データに基づいて推定されたり確認されたりすることができる。また、上記の推定または確認された電力量データに基づいてエネルギー貯蔵装置１４０の動作モードを推定することができる。
【０１６６】
図２４は、本実施形態に係る負荷電力監視結果の出力動作フローチャートであり、図２５は、本実施形態に係る負荷電力監視結果の出力を例示する図である。
図２４及び図２５を参照して本実施形態に係る監視サーバ１０の記憶部１３に記憶された負荷電力監視結果を出力するための動作を詳細に説明する。
【０１６７】
図２４及び図２５を参照すると、監視サーバ１０の制御部１２は、本実施形態、別の実施形態に従って測定及び取得されて記憶部１３に記憶された電力量データの出力要求信号を取得することができる（Ｓ２４１０）。この出力要求信号は、ユーザー入力部（図示せず）を介して入力されたり、遠隔地の端末などから有線または無線で受信（収集）されたりし得る。
【０１６８】
監視サーバ１０の制御部１２は、記憶部１３に記憶された電力量データを読み出し（Ｓ２４２０）、図２５のようなグラフ、数値、テキストなどの様々な形で電力量データを表示することができる（Ｓ２４３０）。図２５は、電子機器１３０、再生可能エネルギー源の消費電力量または充電量に関する情報を図示したものである。その例として、Ａ乃至Ｃは、電子機器１３０の電力量データの例であり、Ｄは、再生可能エネルギー源であるエネルギー貯蔵装置１４０、太陽光発電装置１６０の電力量データの例である。電子機器１３０の電力量データの場合、ＮＩＬＭ分析に必要とされるデータが取得されることにより、電力量データの周期が短く表示されることがある。
【０１６９】
本実施形態では、外部電力供給源１１０、分電盤１２０に接続される電子機器１３０、エネルギー貯蔵装置１４０及び太陽光発電装置１６０でそれぞれ電力量データを測定したり推定するための動作を順次説明したが、上記の電力量データを推定したり取得するための動作の順序は限定されず、様々な形態に変更して実施することができる。
【０１７０】
上記のように、本実施形態に係る電力測定装置及びそれを用いた負荷電力監視システム及びその動作方法は、最小限のコストで高い信頼性及び高性能のシステムを構成し、それによる負荷電力量を効率的に実現する効果を有する。
【０１７１】
以上では、好ましい実施形態について図示して説明したが、本発明の技術的思想は上述した特定の実施形態に限定されず、特許請求の範囲に記載した発明の要旨を逸脱しない範囲内で、これら発明が属する技術分野において通常の知識を有する者によって多様な変形実施が可能なだけではなく、このような変形実施は、本発明の技術的思想や目的に含まれる。
【産業上の利用可能性】
【０１７２】
本発明は、従来の外部電力供給源に加えて再生可能エネルギー源を付加して負荷にエネルギーを供給し、前記負荷に供給されるエネルギーの消費状態を監視することができる電力測定システム及びそれを用いた負荷電力監視システム及び負荷電力監視方法に適用できる。
また、本発明は、負荷及び前記負荷に供給される電力供給装置の消費電力量及び状態を把握するために、最小限のコストで効果的なシステムを構成して負荷電力を監視することができるようにするための電力測定システム及びそれを用いた負荷電力監視システム及び負荷電力監視方法に適用できる。
また、本発明は、負荷及び前記負荷に供給される電力供給装置の消費電力量及び状態を把握することができる高い信頼性及び高効率の電力測定システム及びそれを用いた負荷電力監視システム及び負荷電力監視方法に適用できる。
【符号の説明】
【０１７３】
１０      ：監視サーバ
１１０    ：外部電力供給源
１２０    ：分電盤
１３０    ：電子機器（負荷）
１４０    ：エネルギー貯蔵装置
１５０    ：電子機器（負荷）
１６０    ：太陽光発電装置
１７１    ：第１電力測定装置（電力測定装置）
１７２    ：第２電力測定装置（電力測定装置）
１７３    ：第３電力測定装置（電力測定装置）
１７４    ：第４電力測定装置（電力測定装置）
１７５    ：第５電力測定装置（電力測定装置）
【図１】
0006257711.tif 000002
【図２】
0006257711.tif 000003
【図３】
0006257711.tif 000004
【図４】
0006257711.tif 000005
【図５】
0006257711.tif 000006
【図６】
0006257711.tif 000007
【図７】
0006257711.tif 000008
【図８】
0006257711.tif 000009
【図９】
0006257711.tif 000010
【図１０】
0006257711.tif 000011
【図１１】
0006257711.tif 000012
【図１２】
0006257711.tif 000013
【図１３】
0006257711.tif 000014
【図１４】
0006257711.tif 000015
【図１５】
0006257711.tif 000016
【図１６】
0006257711.tif 000017
【図１７】
0006257711.tif 000018
【図１８】
0006257711.tif 000019
【図１９】
0006257711.tif 000020
【図２０】
0006257711.tif 000021
【図２１】
0006257711.tif 000022
【図２２】
0006257711.tif 000023
【図２３】
0006257711.tif 000024
【図２４】
0006257711.tif 000025
【図２５】
0006257711.tif 000026